(57)【要約】【課題】調理室の内部に向けて加熱空気を供給するためのパワーヘッド部を有するカウンタートップ型電子レンジを提供するものである。【解決手段】本発明に係る当該カウンタートップ型電子レンジは、安全スイッチが当該パワーヘッド部に設けられている個々のハンドル部の中に組み込まれているものであり、係る構成に於いて、当該電子レンジのユーザが当該調理室の内部に手を入れようとした際に当該ハンドル部を握る事によって、当該安全スイッチ部が稼動して活性化されて、当該パワーヘッド部への電力の供給が遮断される様に構成されている。【選択図】図１
2005504254.tif 000002
【特許請求の範囲】
【請求項１】
ベース部、
当該ベース部に支持されているオーブンハウジング部、
当該オーブンハウジング部に着脱自在に接合されており、かつ熱を発生させ当該熱を当該オーブンハウジング部に指向せしめる為の加熱ユニット部を含んでいるパワーヘッド部、
当該パワーヘッド部に形成されている少なくとも一つのハンドル部、
当該少なくとも一つのハンドル部に操作可能に設けられている当該パワーヘッド部に対する電力を遮断するための電力遮断手段、
とから構成されているカウンタートップ型電子レンジであって、
当該電子レンジに於ける当該電力遮断手段は、当該少なくとも一つの当該ハンドル部がユーザーによって把持された場合に活性化せしめられる様に構成されている事を特徴とするカウンタートップ型電子レンジ。
【請求項２】
当該電力遮断手段は、当該パワーヘッド部への電力を遮断する為に活性化せしめられるスイッチ部と当該スイッチ部を活性化するために、当該少なくとも一つのハンドル部に旋回自在に取り付けられているレバー部とを含んでいる事を特徴とする請求項１に記載の電子レンジ。
【請求項３】
当該電力遮断手段は、当該ユーザーが当該ハンドル部の把持を解除した時に非活性化される様に構成されている事を特徴とする請求項２に記載の電子レンジ。
【請求項４】
当該電子レンジは、更に当該電力遮断手段が非活性化された後に当該パワーヘッド部に対して電力の供給を再開する為のパワースイッチ部を含んでいる事を特徴とする請求項３に記載の電子レンジ。
【請求項５】
当該レバー部は、ひんじ部を含んでおり、当該はひんじ部、当該レバー部を当該ひんじ部を中心に第１の位置と第２の位置に旋回せしめられる事を可能にする様に構成されている事を特徴とする請求項２に記載の電子レンジ。
【請求項６】
当該電子レンジは、更に、当該ひんじ部に当接しているカム部を含んでおり、当該カム部は、当該レバー部が当該第２の位置に向けて旋回せしめられた場合に当該スイッチ部を活性化させる為に当該スイッチ部に設けられているピン部を押圧する様に構成されている事を特徴とする請求項５に記載の電子レンジ。
【請求項７】
当該レバー部は、当該少なくとも一つのハンドル部の底部面から当該ユーザーが接触できる様に構成されており、且つ当該レバー部は、当該ユーザーによる把持によって当該レバー部に上向きの力が印加された場合に当該第２の位置に旋回せしめられる様に構成されている事を特徴とする請求項６に記載の電子レンジ。
【請求項８】
当該電力遮断手段は、当該パワーヘッド部への電力供給を遮断する為に活性化せしめられるスイッチ部と、当該ハンドル部から突出した第１の端部と第２の端部とを有する長尺状の腕部とを含んでおり、当該第１と第２の端部は、当該腕部の長手方向に移動し得るように構成されたものであり、更に、当該腕部の当該第１の端部は、当該ユーザーが当該ハンドル部を握る事によって、当該第２の端部を押し下げた場合に当該スイッチ部を活性化するために当該スイッチ部に当接している事を特徴とする請求項１に記載の電子レンジ。
【請求項９】
当該腕部は、当該ハンドル部に設けられている第１の穴部と当該パワーヘッド部から当該ハンドル部を分離している壁部に設けられている第２の穴部を介して延展せしめられている事を特徴とする請求項８に記載の電子レンジ。
【請求項１０】
当該電子レンジは、更に、当該腕部上で且つ当該壁部の両側に形成された一対の所定の間隔を有して形成されているブラケット部を含んでおり、それによって当該腕部の長手方向の移動が当該ブラケット部の離間間隔によって制限されている事を特徴とする請求項９に記載の電子レンジ。
【請求項１１】
熱を発生させ当該熱を調理室内に指向せしめる為にカウンタートップ型電子レンジの当該調理室に着脱自在に接合される様に構成されているパワーヘッド部であって、当該パワーヘッド部は、
上面部と底面部を有するハウジング部、
熱を発生させ当該熱を当該底面部から当該調理室内に指向せしめる為に当該ハウジング部に設けられた加熱ユニット部、
当該パワーヘッド部を当該調理室に取り付けたり当該調理室から取り外したりするために当該ハウジング部に設けられている少なくとも一つのハンドル部、及び
当該加熱ユニット部に対する電力の供給を遮断するための当該ハンドル部に設けられている電力遮断手段とを含んでいる事を特徴とするパワーヘッド部。
【請求項１２】
当該電力遮断手段は、当該加熱ユニット部への電力を遮断する為に活性化せしめられるスイッチ部と当該スイッチ部を活性化するために、当該少なくとも一つのハンドル部に旋回自在に取り付けられているレバー部とを含んでいる事を特徴とする請求項１１に記載のパワーヘッド部。
【請求項１３】
当該電力遮断手段は、当該ユーザーが当該ハンドル部の把持を解除した時に非活性化される様に構成されている事を特徴とする請求項１２に記載のパワーヘッド部。
【請求項１４】
当該電子レンジは、更に当該電力遮断手段が非活性化された後に当該パワーヘッド部に対して電力の供給を再開する為のパワースイッチ部を含んでいる事を特徴とする請求項１３に記載のパワーヘッド部。
【請求項１５】
当該レバー部は、ひんじ部を含んでおり、当該はひんじ部、当該レバー部を当該ひんじ部を中心に第１の位置と第２の位置に旋回せしめられる事を可能にする様に構成されている事を特徴とする請求項１２に記載のパワーヘッド部。
【請求項１６】
当該パワーヘッド部は、更に、当該ひんじ部に当接しているカム部を含んでおり、当該カム部は、当該レバー部が当該第２の位置に向けて旋回せしめられた場合に当該スイッチ部を活性化させる為に当該スイッチ部に設けられているピン部を押圧する様に構成されている事を特徴とする請求項１５に記載のパワーヘッド部。
【請求項１７】
当該レバー部は、当該少なくとも一つのハンドル部の底部面から当該ユーザーが接触できる様に構成されており、且つ当該レバー部は、当該ユーザーによる把持によって当該レバー部に上向きの力が印加された場合に当該第２の位置に旋回せしめられる様に構成されている事を特徴とする請求項１６に記載のパワーヘッド部。
【請求項１８】
当該電力遮断手段は、当該パワーヘッド部への電力供給を遮断する為に活性化せしめられるスイッチ部と、当該ハンドル部から突出した第１の端部と第２の端部とを有する長尺状の腕部とを含んでおり、当該第１と第２の端部は、当該腕部の長手方向に移動し得るように構成されたものであり、更に、当該腕部の当該第１の端部は、当該ユーザーが当該ハンドル部を握る事によって、当該第２の端部を押し下げた場合に当該スイッチ部を活性化するために当該スイッチ部に当接している事を特徴とする請求項１１に記載のパワーヘッド部。
【請求項１９】
当該腕部は、当該ハンドル部に設けられている第１の穴部と当該パワーヘッド部から当該ハンドル部を分離している壁部に設けられている第２の穴部を介して延展せしめられている事を特徴とする請求項１８に記載のパワーヘッド部。
【請求項２０】
当該電子レンジは、更に、当該腕部上で且つ当該壁部の両側に形成された一対の所定の間隔を有して形成されているブラケット部を含んでおり、それによって当該腕部の長手方向の移動が当該ブラケット部の離間間隔によって制限されている事を特徴とする請求項１９に記載のパワーヘッド部。
【発明の詳細な説明】
【技術分野】
【０００１】
本発明は、電子レンジに関するものであり、更に詳しくは、自動化された安全遮断機構を持つカウンタートップ型電子レンジに関するものである。
【背景技術】
【０００２】
カウンタートップ型電子レンジは良く知られている。
【０００３】
従来のレンジと比べて、カウンタートップ型電子レンジは一般的に、容量が小さく且つ調理時間が短いといる利点を提供している。
【０００４】
当該カウンタートップ型電子レンジにとっては、調理室を加熱する為に使用される加熱ユニット部を含んでいることが一般的である。
【０００５】
調理時間を短縮する為に、当該カウンタートップ型電子レンジでは典型的には、電気加熱手段と併用される高速ファン手段によって、食品の周囲を旋回する加熱空気流に依存しているか、或いは、レンジ内に相対的に均一な温度分布を実現するためにレンジ内に十分な空気の旋回流を形成する相対的に低速なファンを併用する赤外線加熱手段を使用することに依存するものであった。
【０００６】
代表的には、当該パワーヘッド部は、調理室の上部に着脱自在に固定されている。
当該調理室の内部を操作する為には、通常一対のハンドル部が設けられている当該パワーヘッド部を手動で持ち上げ、それによって、当該調理室の上部を当該調理室の残りの部分から分離することによって実現できる。
【０００７】
当該レンジは一般的には、当該レンジが使用中である場合に、当該調理室の内部が操作される前に、ユーザーによって当該レンジに対する電力の供給を遮断するか中断する為にセットされなければならないパワースイッチ部及び／又はポーズスイッチ部がふくまれている。
【０００８】
当該公知のカウンタートップ型電子レンジに関する問題点は、ユーザーが、当該パワースイッチ部を非活性化するか或いは(もし設けられているとすれば)当該ポーズスイッチ部を活性化することなしには当該レンジは遮断されないと言うことである。
【０００９】
従って、若し、ユーザーが当該パワースイッチ部を非活性化すること、或いは当該ポーズスイッチ部を活性化することに失敗した場合には、当該ユーザーが、まだパワーヘッド部が熱を発生している間に当該調理室の残りの部分から当該調理室の上部を取り除くという事が可能となる。
【００１０】
この事は、ユーザーが当該パワーヘッド部からの熱を危険な状態で浴びることになり火傷の問題を発生する。
【発明の開示】
【発明が解決しようとする課題】
【００１１】
従って、本発明は、上記した従来の問題を解決し、調理室の内部に向けて加熱空気を供給するためのパワーヘッド部を有するカウンタートップ型電子レンジを提供するものである。
【課題を解決するための手段】
【００１２】
本発明に係る当該カウンタートップ型電子レンジは、安全スイッチが当該パワーヘッド部に設けられている個々のハンドル部の中に組み込まれているものであり、係る構成に於いて、当該電子レンジのユーザが当該調理室の内部に手を入れようとした際に当該ハンドル部を握る事によって、当該安全スイッチ部が稼動して活性化されて、当該パワーヘッド部への電力の供給が遮断される様に構成されている。
【発明を実施する為の最良の形態】
【００１３】
即ち、基本的に言うならば、本発明は、カウンタートップ型電子レンジを提供する事を意図したものであって、当該カウンタートップ型電子レンジは、ベース部と、当該ベース部に支持されているオーブンハウジング部及び当該オーブンハウジング部に着脱自在に接合されているパワーヘッド部とを含んでいる。
【００１４】
当該パワーヘッド部は、熱を発生させ当該熱を当該オーブンハウジング部に指向せしめる為の加熱ユニット部を含んでいる。
【００１５】
更に、少なくとも一つのハンドル部が当該パワーヘッド部に形成されており、且つ、当該パワーヘッド部に対する電力を遮断するための電力遮断手段が、当該ハンドル部に操作可能に設けられている。
【００１６】
叉、当該電力遮断手段は、当該少なくとも一つの当該ハンドル部がユーザーによって把持された場合に活性化せしめられる様に構成されているものである。
【００１７】
本発明の他の態様に於いては、当該カウンタートップ型電子レンジのパワーヘッド部は、当該電子レンジの調理室に着脱自在に接合される様に構成されている。
【００１８】
更に、当該パワーヘッド部は、上面部と底面部を有するハウジング部と、熱を発生させ当該熱を当該底面部から当該調理室内に指向せしめる為に当該ハウジング部に設けられた加熱ユニット部とを含んでいる。
【００１９】
一方、当該パワーヘッド部を当該調理室に取り付けたり当該調理室から取り外したりするために、少なくとも一つのハンドル部が当該ハウジング部に設けられている。
【００２０】
叉、当該電力遮断手段が、当該加熱ユニット部への電力を遮断する為に当該ハンドル部に取り付けられている。
【００２１】
本発明に従って構成されたカウンタートップ型電子レンジの典型的な具体例が以下に示されており、且つ図面では、赤外線式のカウンタートップ型電子レンジに関して説明されている。
【００２２】
然しながら、本発明に於ける多くの技術構成は、単純な電気抵抗体式加熱体と組み合わされた旋回空気流を使用する電子レンジを含む他の形式のカウンタートップ型電子式調理レンジに対しても有用である事が理解されるべきである。
【００２３】
従って、従属請求項に明記されている範囲を除いては、本発明が赤外線加熱体との関連で使用することが意図されるという限定は存在しない。
【００２４】
図１及び図２に於いて、カウンタートップ型電子レンジ１０は、ベース部１２、当該ベース部１２に支持されているオーブンパン部１４、当該オーブンパン部１４に支持されている調理ラック部１６、一般的には円筒状で透明で当該ベース部１２に支持されているオーブンハウジング部１８、当該オーブンハウジング部１８に支持されており且つ当該オーブンハウジング部１８と着脱自在に接合されているパワーヘッド部２０とを含んでいる。
【００２５】
その上、当該オーブンパン１４と当該オーブンハウジング部１８とは調理室２１を構成し、図１に示す様に当該電子レンジ１０は集合状態にある。
【００２６】
最も適切な態様として図２及び図３に示されている様に、当該ベース部１２は、一般的には円筒状の側壁部２４と平面状の底部２６によって形成されている内部表面２２を有している。
【００２７】
当該円筒状の側壁部２４から延展されている２つのハンドル部２７は、ユーザーが当該電子レンジ１０を或る場所から別の場所に移動させる事を可能にする。当該内部表面２２は、当該オーブンパン１４を取り囲むと同時に、空気ギャップによって当該オーブンパン１４から離間せしめられている。
【００２８】
当該ベース部１２は、更に当該オーブンパン１４の為の一つ或いはそれ以上の支持部２８を含むと同時に、当該一つ或いはそれ以上の支持部２８と当該オーブンパン１４との間に、当該オーブンパン１４からの熱によって当該ベース部１２がオーバーヒートされることを防止するために、一つ或いはそれ以上の熱遮蔽材３０を含んでいる。
【００２９】
図２及び図３に示される本発明に於ける好ましい具体例としては、一つ或いはそれ以上の当該支持部２８が３個の円筒形柱状体２８Ａとして形成されているものであり、当該一つ或いはそれ以上の熱遮蔽用スペーサ材３０は、３個の円筒形柱状体スペーサ３０Ａの形でそれぞれが当該柱状体２８Ａの一つに支持される様に形成されているものである。
【００３０】
図３に於ける当該スペーサ材３０Ａと柱状体２８Ａの断面形状から理解される様に、各スペーサ材３０Ａは、それぞれの当該柱状体２８Ａに設けられている嵌合孔３６と係合しる突起部３２が設けられており、それによってそれぞれの当該スペーサ材３０Ａが当該個々の柱状体２８Ａに保持される様に構成されている。
【００３１】
一方、当該スペーサ材３０Ａと当該柱状体２８Ａの断面形状は、一般的には円形である事が好ましいが、本発明に於いては、例えば、三角形、楕円形、四角形、矩形、台形、五角形等の非円形断面形状のものでも使用可能である事を理解すべきである。
【００３２】
当該オーブンパン１４は、当該熱遮蔽材３０上に支持されており、それによって当該内部表面２２と当該調理パン１４との間に空気ギャップが維持される事になり、ハンドル部２７を含む当該ベース部１２がオーバー加熱される事が防止される事になる。
【００３３】
好ましくは、当該ベース部１２は，適宜のポリカーボネート材料で製造されているものであり、叉当該熱遮蔽材３０は、適宜のシリコンラバーからなる熱遮蔽材で製造されているものである。
【００３４】
叉、当該金属製のオーブンパン１４は、内部表面と円筒状の側壁部３９と平面状底部４０とで形成される外部表面３８とを含んでいる
好ましくは、当該オーブンパン１４は、内部平面３７上に塗布された適宜の非粘着性ＰＴＦＥ樹脂を有するアルミ製板状体からなる一体成型物である。
【００３５】
一対の押し込み可能なハンドル部４１が当該オーブンパン１４の外縁部を構成するリップ部４２に搭載されている。当該ハンドル部４１は、図２に示されている様に、当該ハンドル部４１が当該リップ部４２から突出せしめられ、それによってユーザーが当該ハンドル部４１を把持して当該オーブンパン１４を当該ベース部１２から移動させる事が出来る第１の位置と、図４に示す様に、当該ハンドル部４１が当該リップ部４２に対して押し込まれて当該オーブンハウジング部１８が当該オーブンパン１４の上に図３に示す様に、当該ハンドル部４１の邪魔にならない様に、搭載されることを可能にする第２の位置との間を移動できる様に当該リップ部４２に搭載されている。
【００３６】
図４に示される最良の具体例によれば、当該それぞれのハンドル部４１は、把持部４４から延長された一対の足部４３を有しており、当該それぞれの足部４３は当該リップ部４２に形成されている垂直方向の案内孔４５に受け入れられており、それによって、当該ハンドル部４１が当該第１と第２の位置の間に案内される事になる。
【００３７】
それぞれの当該足部は、当該第１の位置に於いて当該リップ部４２が当該ハンドル部４１と係合するタブ部４６で終端している。
【００３８】
好ましくは、当該ハンドル部は金属製の線条体の一体物で構成されているものであり、当該把持部や足部４３及びタブ部４６を形成するために屈曲せしめられる。
【００３９】
当該調理ラック部１６は、調理される食品を保持するための平面状の格子部４７と格子部４７の当該平面から一方向に延長せしめられている第１の組のループ条突起部４８と当該格子部４７の当該平面状から他方の方向に延長せしめられている第２の組のループ条突起部４９とを含んでいる。
【００４０】
当該突起部４８は当該格子部４７に保持されている調理食品に対して第１の調理高さを提供するために当該格子部４８を保持するために使用可能であり、一方、当該突起部４９は、当該格子部４７の為に第２の調理高さを提供するため、当該格子部４７を支持するのに使用可能である。
【００４１】
当該調理ラック部１６は、好ましくは、適宜の非粘着性ＰＴＦＥ樹脂が塗布された３０４ステンレススチールで構成されているものである。
【００４２】
図３に示されている様に、当該オーブンハウジング部１８は、一般的には円筒状の側壁部５２であって、一般的に円錐形の側壁部５４につながり、その後に最終的には一般的には円筒形状のリング部５８となる平面状の上部壁部５６とにより形成される内部表面５０を含んでいる。
【００４３】
環状リップ部５９が当該壁部５２の外側表面に形成されており、当該環状リップ部Ａは、当該ベース部１２の側壁２４上にある当該オーブンハウジング部１８を支持する様に機能する。
【００４４】
当該リップ部５９の下側に延長されている当該壁部５２の一部分６０は、当該ベース部１２の側壁部２４と協同して蒸気等の過熱ガスが当該調理室２１から漏れ出る事を防止する。
【００４５】
図３Ａに良く示されている通り、当該部分６０は、当該部分６０を当該ベース部１２内部に案内する様に機能する、環状の案内面取り部或いはレリーフ部６１を含んでおり、それによって当該オーブンハウジング部１８を当該ベース部１２に係合させることを容易にすると共に、例えば、当該オーブンハウジング部１８が当該ベース部１２内に挿入できるが当該オーブンハウジング部が垂直方向に対して幾分か傾斜していると言うような、当該ベース部１２に対する当該オーブンハウジング部１８の取り付けミスを防止する事が出来る。
【００４６】
更に好ましくは、当該オーブンハウジング部１８は適宜の透明なポリカーボネート材料で形成されているものである。
【００４７】
図３及び図５に良く示されている通り、当該パワーヘッド部２０は、外部ハウジング集合部６２を含んでいる。当該外部ハウジング集合部６２は、図５には示されていないが、一対のハンドル部６５を有するドーム形状をした上部ハウジング部６４と円筒状の壁部６６と環状フランジ部７０とを有する下部ハウジング部６６とを含んでいる。
【００４８】
図２に示す様に、４個の互いに等間隔に配置されたランド部７２（図中一つのランド部のみ示されている）が当該円筒状壁部６０から突出せしめられており、そのそれぞれは、当該ハウジング部１８の当該環状部５８上に形成されている複数個の傾斜状タブ部７４と係合し、当該ハウジング部１８と当該パワーヘッド部２０に着脱自在に接合する。
【００４９】
当該パワーヘッド部２０は、更に冷却ファン７８とオーブンファンとを共通シャフト８８を介して駆動するためのモーター７６と、赤外線電気加熱装置８４と、ヒーター／ファンハウジング部８６と、当該ヒーターハウジング部８６の内部表面に搭載されている放射プレート８８と、当該モーター７６と当該ヒーターハウジング部８６との間に搭載されているガラスファイバーからなる熱遮蔽部材９０と、当該上部ハウジング部６４と下部ハウジング部６６との間に設けられているマイカシート９２と、保護格子９４と、サーミスタ９６と、サーモスタット９８及び当該サーミスタ９からの信号とユーザーにより制御パネル１０６へ入力された指令信号とに応答して、当該加熱装置８４と当該モーター７６とを制御するための制御部１００を含んでいる。
【００５０】
好ましくは、当該ファン７８は、適宜のプラスティック材料で構成されたものであり、一方、当該ファン８０と放熱板８８とは、当該調理室２１の内部に向けて下方に当該加熱装置８４から赤外線を反射させるために、アルミニュウム板で構成されるものである。
【００５１】
叉、当該モーター７６は、当該ファン部７８と８０を２５００回転／分の範囲の速度で回転させる事が好ましく、かかる条件は、当該調理室２１内の全体を比較的均一な温度に設定する為、及び幾つかの旋回流式カウンタートップ型電子レンジと協同して使用される高速空気動作を発生させる必要なしに、赤外線調理を補助するために、対流によって食品の調理を早める為、当該ファン部８０から適切な空気流を発生させる事が出来る。
【００５２】
当該ファン部８０により形成された相対的に低速の空気流による他の利点は、その相対的に低速の空気流が、赤外線の放射が発生する様な温度範囲に当該電子レンジ１０の加熱面を維持する事を助長すると同時に、当該電子レンジ１０の非金属材料による輻射能の減少を制約する事に寄与する事にある。
【００５３】
叉、当該加熱装置８４は、主にＳｉＯである無機ピグメントを含む、ＳｉＯ２，ＴｉＯ２及びＡｌ２Ｏ３等のコーティング材料を主なる成分とするコーティング厚さが２０±５μｍのＧ−１５００（ＣＲＣ１５００）であるセラミックコーティング材料でコーティングされたインコロイ８４０（incoloy８４０）から製造されている事が望ましい。
【００５４】
当該セラミックコーティングは、当該加熱装置の輻射能（ｅｍｉｓｓｉｖe  ｐｏｗｅｒ）を増加させ、輻射スペクトラムを赤外線領域にシフトさせる。
【００５５】
かかるコーティングにより、加熱装置８４は、赤外線領域に於いて凡そ９８％或いはそれ以上の熱放射を発生する事が可能である。
【００５６】
ソルーゲルコーティング方法は当該インコロイ８４０材上に確実にセラミック材料をコーティングするために使用される方法である。当該格子９４は、好ましくは、３０４ステンレススチールで構成されるか、適宜のＰＴＦＥ樹脂が塗布された材料で構成されているものである。好ましくは、当該上部ハウジング部は適宜のポリカーボネート材料から構成されたものであり、叉当該下部ハウジング部と当該ヒーターハウジング部は亜鉛めっきスチール或いは適宜の非粘着性ＰＴＦＥ樹脂が塗布されたスチールで構成されているものである。
【００５７】
同時に、当該下部ハウジング部６６の当該円筒状の壁部６８、当該加熱装置８６、当該放射板８８、当該ファン部８０、及び当該加熱装置８４は、当該ハウジング部１８の円筒状の部分５８により規定される開口部１１０を通して当該調理室２１内に延長されている加熱ユニット部１０８を形成しており、更に、当該上部ハウジング部６４と当該マイカシート９２は、当該マイカシート９２、当該ガラス繊維からなる熱遮蔽部９０、当該ヒーターハウジング部８６、当該放射板８８及び当該下部ハウジング部６６とによって構成されている当該調理室２１の内部からの熱に対して遮蔽されているファン室１１１を形成している。
【００５８】
図３と図５に良く示されている通り、複数個の冷却風出口部１１２が当該下部ハウジング部６６の環状フランジ部７０に形成されている。叉切り欠け部１１３が当該マイカシート９２に設けられており、それによって、当該出口部１１２と当該マイカシート９２との干渉が防止され、冷却空気流が当該マイカシート９２を介して当該出口部１１２に流れることを可能にしている。
【００５９】
好ましくは、当該出口部１１２は当該フランジ部７０の周縁の周りに等間隔で配置されている。
【００６０】
叉、当該フランジ部７０と当該出口部１１２は当該ハウジング部１８の開口部１１０を取り囲む冷却マニホルド１１４を形成し、それは、当該調理室２１の外部の表面と対向するものである。
【００６１】
当該冷却ファン７８は、矢印Ａで示されている様に、当該上部ハウジング部６４に形成された複数個の取り入れ開口部を介して冷却空気流を流し、且つ当該冷却空気流を当該ハウジング部１８を冷却する為に、当該冷却空気流を当該ハウジング部１８の表面５６方向に指向させる当該出口部１１２を介して放出するようにする事によって、積極的に当該ファン室１１１と当該ハウジング部１８の壁部５２，５４、５６及び５８を冷却する。
【００６２】
図６に良く示されている通り、当該壁部６８とフランジ部７０とは、当該タブ部７４によって当該ハウジング部１８の当該円筒状リング部５８から分離されており、それによって、矢印Ｂに示す様に、蒸気の様な加熱ガスを、当該空気出口部１１２からの冷却空気流と混合させるために、当該調理室２１の内部から放出させるために、当該加熱ユニット１０８と当該出口部１１２との間で当該加熱ユニット１０８を取り囲む加熱ガス放出部１１８を構成する。
【００６３】
制御板１０２，１０４は、複数個の取り付け部材１２０によって上部ハウジング部６４の内部表面から離れて設けられており、それによって、冷却用空気流が当該出口部１１２から排出される以前に当該ファン室１１１の周囲を旋回する間に、当該制御板１０２，１０４の両面上を通過する事を可能としている。
【００６４】
その結果、当該制御板１０２，１０４上に設けられている電子機器の冷却が促進される。
【００６５】
図７に良く示されている通り、制御部１００は、モーター７６と加熱装置８４とに接続され、ユーザーによる制御パネル部１０６からの指令入力信号とサーミスタ９６からの信号とに応答して当該モーター７６と加熱装置８４に対する電力の供給を制御する。
【００６６】
当該制御部は、最小電力から最大電力まで複数数の電力レベルＰの中から選択された電力を当該加熱装置に供給する様に構成されている。
【００６７】
それぞれの電力レベルＰの増加に際しては、当該サーミスタ９６が、当該調理室２１内の温度が特定の電力レベルＰに関連する低温度設定点より低下した事を検知した場合に、当該制御部１００が当該加熱装置に電力を供給する。
【００６８】
当該制御部１００は、次いで、当該サーミスタ９６によって検知された当該温度が特定の電力レベルＰに関連する高温度設定点を超えた場合に、当該加熱装置への電力供給を終了する。
【００６９】
当該制御部は、選択された電力レベルとは無関係に当該加熱操作中、当該モーター７６に連続的に電力を供給する。
【００７０】
図８に良く示されている様に、当該制御部は、当該電子レンジの過剰加熱を防止するために、最大電力設定時の調理時間を２時間に制限する様に構成されている。
【００７１】
より詳細には、ブロック１３０に於いて、ユーザーが所定の電力レベルＰに設定し、且つ所望の調理時間ｔを入力した後、ブロック１３２に於いて、電力が最大レベルの電力に設定されたか否かが判断される。
【００７２】
若し、当該電力が最大レベルである場合には、ブロック１３４に於いて、設定された所望の調理時間が２時間を越えるか否かが判断される。
【００７３】
若し、当該調理時間が２時間を越える場合には、ブロック１３６に於いて、当該制御部１００によって当該調理時間が自動的に２時間に制限される。
【００７４】
若し、当該調理時間が２時間を越えない場合、或いは若し当該電力が最大レベルに設定されていない場合には、ブロック１３８に示す様に、当該制御部は、当該電力レベルＰで且つ当該所望の調理時間ｔの間、当該モーター７６と当該加熱装置８４を稼動する様に構成されている。
【００７５】
当該調理時間が経過した後、当該制御部１００は、当該モーター７６と当該加熱装置８４への電力の供給を停止する。然しながら、好ましい態様としては、当該調理時間が経過した後、例えばブロック１４０と１４２に示されている様に、当該制御部１００は、当該加熱装置８４への電力の供給を停止するが５分間の冷却段階の間は、当該モーター７６への電力供給を継続するように構成されている。
【００７６】
この事は、当該調理室２１内の加熱ガスが放出され、当該出口部１１２からの冷却空気流によって冷却される時間をとる事が出来、それによって蒸気の様な加熱ガスが当該調理室２１内及び／又はファン室１１１内に蓄積される事が防止でき、更には、当該ハンドル部６５が過剰加熱されることから防止される。
【００７７】
図９Ａに良く示されている様に、保護格子部９４は、一対の第１の足部１５０と当該第１の足部１５０の相対的に反対方向に伸びている一対の第２の足部１５２とを含んでいる。
【００７８】
図９Ｂに良く示されている様に、当該それぞれの足部１５０，１５２は、当該保護格子部９４を着脱自在に当該ヒーターハウジング部８６に搭載するために当該ヒーターハウジング部８６に設けられている嵌合孔１５４に摺動自在に受け入れられる。
【００７９】
ファスナー部１５６が図９Ａに示されている第１の位置と図９Ｂに示されている第２の位置との間で移動できる様に当該ヒーターハウジング部８６に係合されている。
【００８０】
即ち、当該第１の位置では、当該ファスナー部が当該足部１５２の一つと係合して当該保護格子部９４が当該ヒーターハウジング部８６から外れることを防止する位置であり、当該第２の位置では、当該ファスナー部が当該足部１５２との係合がはずれ、当該保護格子部９４が当該ヒーターハウジング部８６から離脱せしめられることになる。
【００８１】
好ましくは、図９Ｂに示されている様に、当該ファスナー部１５６は、図９Ａに示される第１の位置に於いて、当該一つの足部１５２と摩擦的に係合するネジ端部を持つ、当該ハウジング部８６とネジ式で係合するネジセット螺旋の形状で供給されている。
【００８２】
この関係に於いて、当該ファスナー部が第２の位置に存在接続示される為には、図９Ｂに示す様に当該ファスナー部は当該ハウジング部８６から完全に分離されている必要は無く、むしろ当該ファスナー部１５６は、当該ハウジング部８６に関連して当該保護格子部９４の移動を可能とするように、一つの足部１５２から非係合状態となるように位置せしめられる事のみが必要である事を認識すべきである。
【００８３】
図９Ｃに良く示されている様に、第２の位置における当該ファスナー部１５７によって、足部１５２は当該穴部１５４内を摺動せしめられ、矢印Ａに示されている様に、当該保護格子部９４は当該足部１５２の方向に当該ハウジング部８６に対して移動せしめられ、それによって、当該足部１５０はそれぞれの係合孔部１５４から離反せしめられる。
【００８４】
いったん当該足部１５０が当該それぞれの係合孔部１５４から分離せしめられると、当該保護格子部９４は図９Ｄにおける矢印Ｂによって示されている様に、下方に向けて傾斜せしめられ、次いで、当該保護格子部９４は、矢印Ｃによって示されている様に、当該足部１５０の方向に移動せしめられ、それによって、当該足部１５２を当該係合孔部１５４から分離する。
【００８５】
そして、この様にして、当該保護格子部９４を当該ハウジング部６から分離する。
【００８６】
当該格子部の分離は、当該加熱装置８４、ファン８０、反射板８８及び当該ハウジング部８６の内部の清掃を可能とする。
【００８７】
図１０と図１１に良く示されている様に、当該ベース部１２の好ましい具体例に於いて、一つ或いはそれ以上の支持部２８が、当該オーブンパン１４を支えるための側壁部２４から膨出した３個ないしはそれ以上の円周方向に間隔をあけて配置されている脚部２８Ｂの形状で設けられており、叉熱遮蔽材３０は、それぞれが当該脚部２８Ｂのそれぞれによって保持されている３個ないしはそれ以上の熱遮蔽スペーサ３０Ｂの形で設けられている。
【００８８】
図１２と図１３に良く示されている様に、当該ベース部１２の好ましい具体例に於いて、一つ若しくはそれ以上の支持部２８が当該ベース部１２の内部表面上に形成された環状肩部２８Ｃの形式で設けられており、そして一つ若しくはそれ以上の遮蔽部材３０が当該環状肩部２８Ｃによって保持されている熱遮蔽リング３０Ｃの形で設けられている。
【００８９】
図１４乃至図１７と本発明の他の態様とに従えば、当該カウンタートップ型電子レンジ１０は更に当該パワーヘッド部２０のハンドル部６５（図１及び図２によく示されている）のそれぞれに組み込まれている電力遮断手段１５８を含んでいる。
【００９０】
当該電力遮断手段１５８は、ドーム型の上部ハウジング部６４内に設けられ且つ固定されているマイクロスイッチ部１６０を含んでおり、それによって、スイッチ活性化ピン１６２は、当該スイッチの本体部１６４から当該ハンドル部６５の外側の方向に延展せしめられている。
【００９１】
当該ピン１６２は、当該スイッチが非活性化状態にある場合に、当該スイッチ１６０の本体部１６４から突出するようにスプリングでバイアスされている。
【００９２】
当該スイッチ１６０は、当該ピン１６２が当該スイッチの本体部１６４内に押し込められた時に活性化される。
【００９３】
好ましい具体例としては、当該マイクロスイッチ１６０は、１５アンペアで、１２５又、２５０Ｖで作動するＡＣスイッチである。
【００９４】
然しながら、その他の形式のスイッチでも使用可能であることは当業者にとっては自明な事である。
【００９５】
当該電力遮断手段１５８は叉（図５に良く示されている様に）当該ハウジング部６４の底部から見た様に、一般的に、当該パワーヘッド部２０の当該ハンドル部６５の形状に形成されている。
【００９６】
当該パッド部１６８は、一般的には平坦であり、それによって図１４に於ける矢印１７０により示されている様に、垂直方向に移動可能に構成されている。
【００９７】
当該パッド部１６８の垂直方向の動きは、（図１５に良く示されている様に）当該パッド部１６８に取り付けられており、当該ハンドル部６５を当該上部ハウジング部から分離している当該上部ハウジング部６４の垂直壁部１７４の部分を旋回自在に保持している円筒状ヒンジ部１７２によって可能にされている。
【００９８】
カム部１７６は当該パッド部１６８とは反対の側にあるヒンジ部１７２にとりつけられており、且つ当該上部ハウジング部６４内に延長せしめられているので、当該カム部１７６の表面１７８は、当該スイッチ部１６０のスイッチ活性化ピン１６２と摺動的に接触する。
【００９９】
当該カム表面１７８は、当該カム部が下向きに回転した場合に、当該スイッチ部１６０の当該ピン部１６２はその突出位置から押圧されるように構成されている。（図１６に良く示されている）
当該パッド部１６８の上方に向けた垂直動作は、当該ハンドル部６５の内部上部表面１８０によって制限され（図１４に良く示されている）、叉その下方に向けた垂直動作は、当該上部ハウジング部６４の垂直壁部１７４によって制限される。
【０１００】
図１４に示される様に、当該ハンドル部６５の当該垂直壁１７４は、当該上部ハウジング部６４から部分的にのみ延展されており、それによって当該カム部１７６、更には、パッド部１６８の制限された動きを可能とする。
【０１０１】
操作に於いては、パワーヘッド部２０を持ち上げて当該オーブンハウジング部１８から離す（図２によく示されている）か、或いは当該電子レンジ10全体を含めて移動する為（図１に良く示されている）に、ユーザーが当該ハンドル部６５の底部側１８１を把持した時に、当該パッド部１６８は矢印Ｂにより示されている様に、上方向に押される（図１７に良く示されている）。
【０１０２】
当該底部側１８１から当該ハンドル部６５を持ち上げる事は、当該パッド部１６８をユーザーの指に触れさせることになり、当該ベース部機構１６６を当該ヒンジ部１７２の周りに旋回せしめる事になる。それによって、当該カム部１７６を矢印Ｃに示す様な方向に下向きに回転させ、その結果、当該スイッチ部１６０のスイッチ活性化ピン１６２を押し下げる（図１７に良く示されている）。
【０１０３】
当該ハンドル部６５が当該ユーザーから開放された場合には、当該パッド部１６８はそれ自身の重さと当該ピン１６２により当該カム部１７６の当該表面に対して印加される外向きスプリング力とによって元の水平位置に戻る（図１６に良く示されている）。
【０１０４】
図１７に戻るならば、電力遮断手段１５８は、当該制御部１００と操作的に接続されている。当該電力遮断手段１５８が当該ユーザーによって活性化された場合に、当該制御部１００は、当該モーター７６と加熱装置８４への電力の供給を、当該制御パネル１０６に設けられているスタートボタンが当該ユーザーによって再度押し下げられ、当該制御部が当該モーター７６と加熱装置８４への電力の供給を再開する時点迄、遮断する。
【０１０５】
当該電力遮断手段１５８と協同している当該電子レンジ１０の操作は、図１８を参照しながら説明される。
【０１０６】
ブロック１８２から１８８に於ける当該電子レンジ１０の操作は、上述した図８に示すブロック１３０から１３６に於ける操作と同一である。
【０１０７】
ブロック１９０では、当該電子レンジ１０は、ブロック１８２から１８８に於いてなされた決定に係わらず、ブロック１８２に於いてセットされた電力Ｐで動作する。
【０１０８】
若し、当該電力遮断手段１５８が活性化されているのに、当該電子レンジが操作状態にある場合（ブロック１９２）、当該制御部１００は、当該モーター７６と加熱装置８４への電力の供給を遮断する（ブロック１９４）。
【０１０９】
若し、その後、当該ユーザーが、当該制御板１０６上のスタートボタンを使用して当該電子レンジ１０を再スタートさせる場合（ブロック１９６）、当該電子レンジは、当初に設定された電力レベルＰで、当該電力遮断が行われる以前に残存している時間、その操作を再開する（ブロック１９０）。
【０１１０】
然しながら、若し、ブロック１９６に於いて、当該ユーザーにより当該電子レンジ１０が再スタートしなかった場合、当該電子レンジは電力の遮断状態を維持する事になる。
【０１１１】
若し、ブロック１９２で、当該電力遮断手段１５８が活性化されなかった場合、当該制御部１００は、制限時間ｔが到来したか否かを判断する。（当該ユーザーにより或いは当該制御部により２時間に設定されているかどうか）（ブロック１９８）
若し、当該制限時間が到来していない場合、当該操作は、ブロック１９０に戻り、電力Ｐで操作が継続される。
【０１１２】
若し、当該制限時間が到来している場合、当該制御部１００によって当該モーター７６と加熱装置８４への電力の供給が遮断され（ブロック２００）、当該操作は終了する。
【０１１３】
図１９に戻り、且つ、本発明の別の態様に従うならば、当該電力遮断手段１５８は、一般的には、長尺状の腕部２０２を含んでおり、当該腕部２０２は、その内部端部２０４に於いて当該スイッチ活性化ピン１６２と接触し、その外部端部２０６に於いて、当該ハンドル部６５からわずかに外側に突出している様に構成されている。
【０１１４】
当該腕部２０２は，当該上部ハウジング部６４から当該ハンドル部を分離している当該上部ハウジング部６４の垂直壁１７４に設けられている孔部２０８を介して延展しており、当該垂直壁のそれぞれの側に一つづつ設けられている一対のブラケット２１０、２１２を有している。
【０１１５】
当該腕部２０２は、矢印Ｄにより示されている様に，半径方向に動く様に構成されている。
【０１１６】
当該ブラケット２１０、２１２は、当該孔部２０８よりも大きく形成され、それによって、当該腕部２０２の動きは、当該垂直壁１７４に当接する２個のブラケットによって制限されると言うことを理解すべきである。
【０１１７】
操作に際しては、ユーザーが当該ハンドル部６５を把持する事によって、当該腕部２０２が半径方向の内側方向に押し込められた時に、当該スイッチ活性化ピン１６２が押し下げられ、当該に対する電力の供給を遮断する。
【０１１８】
当該ユーザーが当該ハンドル部６５を離すと、当該スイッチ活性化ピン１６２によって当該腕部２０２は半径方向の外側方向に押し出される。
【０１１９】
上記した説明から、多くの好ましい特性と利点を有する改良されたカウンタートップ型電子レンジ開示され説明されたものと理解すべきである。
【０１２０】
その中には、当該パワーヘッド部のハンドル部内に組み込まれた電力遮断手段が含まれており、それによって当該電子レンジが稼動中に当該パワーヘッド部を移動させようと試みる場合に、安全性のために、当該モーターと加熱装置に対する電力が自動的に遮断されるものである。
【０１２１】
そして、ユーザーが当該電子レンジを再稼動させる場合には、当該電子レンジの操作は、最初にセットされた電力レベルで且つ最初に設定された時間からの残りの時間の間継続される。
【０１２２】
本発明に関する多くの具体例が開示され、説明されているが、その他の変更、置換或いは代替等は、当業者にとって自明であると理解されるべきである。
【０１２３】
当該その他の変更、置換或いは代替等は、付属の請求の範囲から決定されるべき本発明の精神及び範囲から逸脱することなしに構成されうるものである。
【図面の簡単な説明】
【０１２４】
【図１】図１は、本発明の特徴を具備したカウンタートップ型赤外線電子レンジの一具体例の構成を示す斜視図である。
【図２】図２は、図１に示された本発明に係るカウンタートップ型電子レンジの分解図である。
【図３】図３は、図１に示された電子レンジの断面図であり、図３Ａは、図３に於ける３Ａ−３Ａ線により示される部分の拡大図である。
【図４】図４は、図１に示されている電子レンジのオーブンパンの斜視図である。
【図５】図５は、図１に示されている電子レンジのパワーヘッド部の分解図である。
【図６】図６は、図３に於ける線６−６により示される部分の拡大図である。
【図７】図７は、図１に示されている電子レンジの作動構成部のダイアグラム的表示を示す図である。
【図８】図８は、図１に示されている電子レンジ本発明に於ける選択された操作特性を説明するフローチャートである。
【図９】図９Ａから図９Ｄは、図１に示されている電子レンジの為の保護グリッドの搭載及び取り外しを説明した斜視図である。
【図１０】図１０は、図１に示されている電子レンジのためのベース部の好ましい具体例に関する斜視図である。
【図１１】図１１は、図１０に於ける線１１−１１に実質的に沿って得られた部分の部分拡大断面図である。
【図１２】図１２は、図１に示されている電子レンジのためのベース部の他の好ましい具体例に関する斜視図である。
【図１３】図１３は、図１２に於ける線１３−１３に実質的に沿って得られた部分の部分拡大断面図である。
【図１４】図１４は、図１５に於ける線１４−１４に実質的に沿って得られた電力遮断装置部分の部分断面図である。
【図１５】図１５は、図１４に示されている電力遮断装置の底面図である。
【図１６】図１６は、図１５に示されている電力遮断装置の（図１５に於ける線１４−１４に実質的に沿って得られた）マイクロスイッチ部とレバー機構装置の拡大図である。
【図１７】図１７は、図１５に示されている電力遮断装置の（図１５に於ける線１４−１４に実質的に沿って得られた）マイクロスイッチ部とレバー機構装置の拡大図である。
【図１８】図１８は、当該電力遮断装置と協同する電子レンジの操作を説明するフローチャートである。
【図１９】図１９は、図１５に於ける電力遮断装置線の他の具体例を示す図である。
【図７】
2005504254.tif 000003
【図８】
2005504254.tif 000004
【図１８】
2005504254.tif 000005
【国際公開パンフレット】
2005504254.tif 000006
2005504254.tif 000007
2005504254.tif 000008
2005504254.tif 000009
2005504254.tif 000010
2005504254.tif 000011
2005504254.tif 000012
2005504254.tif 000013
2005504254.tif 000014
2005504254.tif 000015
2005504254.tif 000016
2005504254.tif 000017
2005504254.tif 000018
2005504254.tif 000019
2005504254.tif 000020
2005504254.tif 000021
2005504254.tif 000022
2005504254.tif 000023
2005504254.tif 000024
2005504254.tif 000025
2005504254.tif 000026
2005504254.tif 000027
2005504254.tif 000028
2005504254.tif 000029
2005504254.tif 000030
2005504254.tif 000031
2005504254.tif 000032
2005504254.tif 000033
2005504254.tif 000034
2005504254.tif 000035
2005504254.tif 000036
2005504254.tif 000037
【国際公開パンフレット（コレクトバージョン）】
2005504254.tif 000038
2005504254.tif 000039
【国際調査報告】
2005504254.tif 000040